(57)【特許請求の範囲】
【請求項１】
投入された生ごみを乾燥する乾燥ドラムと、
前記乾燥ドラムで生ごみが乾燥される時に発生する蒸気の伝達を受けて凝縮させて排出するドラムトラップと、
を含み、
前記ドラムトラップは、
上面は開放され、一側面には下水管側に水を排出するための排出部が形成され、前記排出部の下側の内部には水が格納されるハウジングと、
前記ハウジングの開放された上端面に結合され、一側及び他側が前記乾燥ドラムの一側及び他側と各々連通された第１冷却板、前記第１冷却板の下面から下側に延長形成されて前記ハウジングの内部に位置し、下側部位は前記排出部より下側に位置して前記ハウジングに格納された水に浸る第２冷却板、及び前記第１冷却板の中央部側から下側に延長形成され、水を前記ハウジングの内部に流入させる流入管、を有し、前記ハウジングに流入した蒸気を凝縮させる冷却板と、
を有し、
前記第１冷却板の一側には、前記乾燥ドラムの一側と連通されて、生ごみの乾燥時に発生した蒸気が流入する流入孔が形成され、
前記第１冷却板の他側には、前記乾燥ドラムの他側と連通されて、前記流入孔を通じて前記ハウジングの内部に流入した蒸気のうち、凝縮されていない蒸気が前記乾燥ドラムに排出されるように案内する排出孔が形成されたことを特徴とする、
生ごみ処理処置。
【請求項２】
前記冷却板は金属材であり、前記ハウジングは合成樹脂材であり、
前記第２冷却板は前記ハウジングの内面に接触結合されたことを特徴とする、
請求項１に記載の生ごみ処理処置。
【請求項３】
前記第１冷却板の下面一側には下側に延長されて前記第２冷却板と前記流入管との間に位置した区切り板が形成され、
前記区切り板は、前記第１冷却板、前記第２冷却板及び前記流入管と一体に形成され、前記排出部が形成された前記ハウジングの一側面と前記排出部と対向する前記ハウジングの他側面との間に位置し、
前記区切り板の下側部位及び前記流入管の下側部位は、各々前記排出部より下側に位置して前記ハウジングに格納された水に浸り、
前記ハウジングに格納された水の上側の前記ハウジングの空間のうち、前記区切り板が位置した前記ハウジングの空間は、前記区切り板、前記第２冷却板及び前記流入管により区切られたことを特徴とする、
請求項１に記載の生ごみ処理処置。
【請求項４】
前記流入孔は、前記区切り板と、前記排出部と対向する前記ハウジングの他側面との間に位置した前記第１冷却板の部位に形成され、
前記排出孔は、前記区切り板と、前記排出部が形成された前記ハウジングの一側面との間に位置した前記第１冷却板の部位に形成されたことを特徴とする、
請求項３に記載の生ごみ処理処置。
【請求項５】
前記排出部は、
前記ハウジングの一側面に形成された貫通孔と、
前記貫通孔と連通されて前記ハウジングの内側に突出し、下側部位は前記貫通孔より下側に位置して前記ハウジングに格納された水に浸るエルボ管と、
前記エルボ管と連通されて前記ハウジングの外側に突出し、下水管側と連通される排出管と、
を含むことを特徴とする、
請求項１に記載の生ごみ処理処置。
【請求項６】
前記ハウジングの内部には前記流入孔及び前記排出孔を開閉するバルブが各々設置されたことを特徴とする、
請求項１に記載の生ごみ処理処置。
【請求項７】
前記流入孔側の前記第１冷却板の下面及び前記排出孔側の前記第１冷却板の下面には支持片が各々結合され、
各々の前記支持片に前記バルブの一側が各々連結支持され、
前記バルブは、前記支持片に支持された部位を基準に回転可能に設置され、前記ハウジング内部の水位によって回転及び昇降しながら前記流入孔及び前記排出孔を開閉することを特徴とする、
請求項６に記載の生ごみ処理処置。
【請求項８】
生ごみを脱水して前記乾燥ユニットに投入する脱水ユニットがさらに設けられ、
前記流入管には、前記脱水ユニット側及び流し台の洗い桶のオーバーフロー防止用排出孔側と各々連通された第１分岐管及び第２分岐管を有する連結管が連通結合されたことを特徴とする、
請求項１に記載の生ごみ処理処置。
【発明の詳細な説明】
【技術分野】
【０００１】
本発明は、悪臭が含まれた蒸気を凝縮させて排出し、凝縮されていない悪臭が含まれた蒸気は循環させるドラムトラップ及びこれを使用した生ごみ処理処置に関するものである。
【背景技術】
【０００２】
生ごみは環境を汚染させる要因の１つであって、毎年排出量が増加する趨勢である。このような生ごみを親環境的に処理するための多様な形態の生ごみ処理処置に対する研究開発が盛んに進行中である。
【０００３】
生ごみ処理処置は切断及び破砕された生ごみを乾燥させて処理する乾燥方式と切断及び破砕された生ごみを一定期間保管しながら発酵させて処理する発酵方式とに大別できる。
【０００４】
乾燥方式の生ごみ処理処置は、切断及び破砕された生ごみを脱水した後、脱水された生ごみに含まれた水分を乾燥するので、生ごみの排出量が急激に減少する長所がある。
【０００５】
しかしながら、乾燥方式の生ごみ処理処置は、生ごみの乾燥時、悪臭が発生するので、悪臭を除去するためのフィルタなどを設置しなければならず、一定周期でフィルタを取替してくれなければならない。したがって、コスト高の短所がある。
【０００６】
生ごみ処理処置の乾燥ユニットと関連した先行技術は、韓国公開特許第１０−２００９−００８９８３４号公報に開示されている。
【先行技術文献】
【特許文献】
【０００７】
【特許文献１】韓国公開特許第１０−２００９−００８９８３４号公報
【発明の概要】
【発明が解決しようとする課題】
【０００８】
本発明の目的は、上記のような従来技術の全ての問題点を解決できるドラムトラップ及びこれを使用した生ごみ処理処置を提供することにある。
【０００９】
本発明の他の目的は、生ごみの乾燥時に発生する悪臭が含まれた蒸気を凝縮させて排出すると共に、凝縮されず残存する悪臭が含まれた蒸気を循環させることによって、コストが低減できるドラムトラップ及びこれを使用した生ごみ処理処置を提供することにある。
【課題を解決するための手段】
【００１０】
上記の目的を達成するための本発明に係るドラムトラップは、上面は開放され、一側面には水が排出される排出部が形成され、上記排出部の下側の内部には水が格納されるハウジングと、上記ハウジングに結合されて上記ハウジングに流入した蒸気を凝縮させる冷却板と、を含み、上記冷却板は、上記ハウジングの開放された上端面に結合された第１冷却板と、上記第１冷却板の下面から下側に延長形成されて上記ハウジングの内部に位置し、下側部位は上記排出部より下側に位置して上記ハウジングに格納された水に浸る第２冷却板と、上記第１冷却板の中央部側から下側に延長形成され、上記ハウジングの内部に水を流入させるための流入管と、を有し、上記第１冷却板の一側部位及び他側部位には、蒸気が流入する流入孔と、上記流入孔を通じて上記ハウジングの内部に流入した蒸気のうち、凝縮されていない蒸気が排出される排出孔と、が形成できる。
【００１１】
また、上記の目的を達成するための本発明に係る生ごみ処理処置は、投入された生ごみを乾燥する乾燥ドラムと、上記乾燥ドラムで生ごみが乾燥される時に発生する蒸気の伝達を受けて凝縮させて排出するドラムトラップと、を含み、上記ドラムトラップは、上面は開放され、一側面には下水管側に水を排出するための排出部が形成され、上記排出部の下側の内部には水が格納されるハウジングと、上記ハウジングの開放された上端面に結合され、一側及び他側が上記乾燥ドラムの一側及び他側と各々連通された第１冷却板、上記第１冷却板の下面から下側に延長形成されて上記ハウジングの内部に位置し、下側部位は上記排出部より下側に位置して上記ハウジングに格納された水に浸る第２冷却板、及び上記第１冷却板の中央部側から下側に延長形成され、水を上記ハウジングの内部に流入させる流入管、を有し、上記ハウジングに流入した蒸気を凝縮させる冷却板と、を有し、上記第１冷却板の一側には、上記乾燥ドラムの一側と連通されて、生ごみの乾燥時に発生した蒸気が流入する流入孔が形成され、上記第１冷却板の他側には、上記乾燥ドラムの他側と連通されて、上記流入孔を通じて上記ハウジングの内部に流入した蒸気のうち、凝縮されていない蒸気が上記乾燥ドラムに排出されるように案内する排出孔が形成できる。
【発明の効果】
【００１２】
本発明に係るドラムトラップ及びこれを使用した生ごみ処理処置は、乾燥ユニットなどで生ごみが乾燥される時に発生する悪臭が含まれた蒸気などがドラムトラップに流入した後、凝縮されて下水管側に排出される。そして、凝縮されず残存する悪臭が含まれた蒸気は、乾燥ユニットなどに再流入する。即ち、生ごみの乾燥時に発生する悪臭が含まれた蒸気が外部に漏洩されないので、悪臭が含まれた蒸気の悪臭を除去するための別途のフィルタを必要としない。したがって、コストが低減される効果が得られる。
【００１３】
また、生ごみの乾燥時に発生する蒸気などは、ドラムトラップの内部で凝縮されるので、ドラムトラップの外側に蒸気を凝縮させるための冷却管を設置する必要がない。したがって、ドラムトラップを生ごみ処理処置に容易に設置することができ、ドラムトラップを生ごみ処理処置から容易に分離することができる。したがって、メインテナンスが便利な効果が得られる。
【００１４】
また、ドラムトラップの冷却板の下側部位はドラムトラップに格納された水に浸るので、冷却板は常に低温状態を維持する。したがって、ドラムトラップに流入した蒸気の大部分は冷却板により凝縮されて排出できるので、凝縮効率が向上する効果が得られる。
【００１５】
また、ドラムトラップの内部は蒸気が流入する流入孔側と蒸気が排出される排出孔側とが区切りされ、流入孔を通じてドラムトラップに流入した蒸気はドラムトラップを巡回した後、排出孔に排出されるので、蒸気の凝縮効率がより向上する効果が得られる。
【００１６】
また、ドラムトラップの排出部のエルボ管の下側部位がドラムトラップに格納された水に浸っているので、ドラムトラップに流入した高温の蒸気が下水管側に排出できない。したがって、排出部の排出管及び排出管と下水管側とを連結する連結管が蒸気により損傷されることを防止できる効果が得られる。
【００１７】
また、ドラムトラップの排出部のエルボ管の下側部位がドラムトラップに格納された水に浸っているので、下水管側で発生する悪臭のドラムトラップへの流入を防止できる効果が得られる。
【００１８】
また、ドラムトラップの排出孔を通じて乾燥ユニットに再流入される蒸気は、相対的に水分を少なく含有した乾燥した蒸気であるので、乾燥ユニットに投入された生ごみの水分を速かに吸収することができる。したがって、乾燥効率が向上する効果が得られる。
【図面の簡単な説明】
【００１９】
【図１】本発明の一実施形態に係る生ごみ処理処置の斜視図である。
【図２】本発明の一実施形態に係る生ごみ処理処置の乾燥ユニット及びドラムトラップ部位の斜視図である。
【図３】図２に図示された乾燥ユニット及びドラムトラップ部位を右側から見た斜視図である。
【図４】図３に図示されたドラムトラップ部位の分解斜視図である。
【図５】図４に図示されたドラムトラップ部位を他の方向から見た底面斜視図である。
【図６】図４の“Ａ−Ａ”線断面図である。
【図７】図４の“Ｂ−Ｂ”線結合断面図である。
【図８】図７に図示されたバルブの正面図である。
【図９】図４の“Ｃ−Ｃ”線結合断面図である。
【発明を実施するための形態】
【００２０】
以下、添付した図面を参照して本発明の一実施形態に係るドラムトラップ及びこれを使用した生ごみ処理処置を詳細に説明する。
【００２１】
図１は本発明の一実施形態に係る生ごみ処理処置の斜視図であり、図２は本発明の一実施形態に係る生ごみ処理処置の乾燥ユニット及びドラムトラップ部位の斜視図であり、図３は図２に図示された乾燥ユニット及びドラムトラップ部位を右側から見た斜視図である。
【００２２】
図示したように、本実施形態に係る生ごみ処理処置は、流し台（図示せず）の洗い桶（図示せず）の下側に設置されることができ、外観を形成するケーシング１１０を含むことができる。ケーシング１１０は、上部ケーシング、中間ケーシング、及び下部ケーシングが相互結合されて形成できる。
【００２３】
以下、ケーシング１１０を含んだ他の構成要素の面及び方向を称するにおいて、ケーシング１１０の上面側に向ける面及び方向を“上面及び上側”、ケーシング１１０の下面側に向ける面及び方向を“下面及び下側”という。
【００２４】
ケーシング１１０の上面側には流し台（図示せず）の洗い桶（図示せず）に結合支持される連結ホルダー１２１が設置できる。連結ホルダー１２１は、上記洗い桶の下面に形成された排水孔（図示せず）に挿入され、連結ホルダー１２１の上端部側の外周面に形成された係止縁１２１ａが上記排水孔を形成する上記洗い桶の下面にかかって支持できる。
【００２５】
連結ホルダー１２１の外周面には支持プレート１２３が支持設置できる。連結ホルダー１２１が上記洗い桶に挿入結合されれば、支持プレート１２３の枠部側は上記洗い桶の下面に接触支持できる。
【００２６】
ケーシング１１０の上面と支持プレート１２３との間には生ごみ処理処置の振動を緩衝して支持プレート１２３に伝達すると共に、上記流し台に対するケーシング１１０の水平を調節するための緩衝／水平調節手段１２５が設置できる。
【００２７】
ケーシング１１０の内部後面上側には上記洗い桶の上記排水孔を通じて連結ホルダー１２１に投入された生ごみを切断及び破砕する切断／破砕ユニット（図示せず）が設置されることができ、上記切断／破砕ユニットの下側には切断及び破砕された生ごみの伝達を受けて脱水する脱水ユニット（図示せず）が設置できる。
【００２８】
上記脱水ユニットは排水孔（図示せず）を含み、上記脱水ユニットの上記排水孔を通じて排出される水は後述するドラムトラップ１６０に流入できる。
【００２９】
上記切断／破砕ユニット及び上記脱水ユニットの構成は、本出願の発明者である“朴魯亨（パク、ノヒョン）”が出願して登録を受けた韓国登録特許公報第１０−１１０４５７３号に開示された生ごみ処理処置の構成と同一または類似している。
【００３０】
上記脱水ユニットは遠心力を用いて生ごみを脱水することができ、遠心力を用いて脱水された生ごみを排出することができる。即ち、脱水された生ごみは上記脱水ユニットの遠心力が最も大きい部位を通じて乾燥ユニット１４０に排出されることができ、乾燥ユニット１４０は脱水された生ごみを乾燥することができる。
【００３１】
図２及び図３に示すように、乾燥ユニット１４０は乾燥ドラム１４１を含むことができる。
【００３２】
乾燥ドラム１４１の上面には上記脱水ユニットで脱水された生ごみが流入する流入口１４１ａが形成されることができ、流入口１４１ａは回転可能に設置された開閉部材１４３により開閉できる。開閉部材１４３により流入口１４１ａが開放されれば、上記脱水ユニットから吐出される生ごみが流入口１４１ａを通じて乾燥ドラム１４１の内部に投入できる。
【００３３】
乾燥ドラム１４１の下面には乾燥された生ごみが排出される排出口（図示せず）が形成されることができ、乾燥ドラム１４１の上記排出口も開閉部材１４３と類似な開閉部材（図示せず）により開閉できる。そして、乾燥ドラム１４１の外面または乾燥ドラム１４１の内部には脱水された生ごみを加熱するためのヒーター、熱風、またはマイクロ波などの加熱部（図示せず）が設置できる。
【００３４】
乾燥ドラム１４１の内部には、乾燥ドラム１４１の内部で生ごみが乾燥される時、生ごみを攪拌するための攪拌スクリュー（図示せず）が回転可能に設置できる。上記攪拌スクリューは生ごみを攪拌して乾燥効率を向上させると共に、くっ付いて石くれのように堅くなる生ごみを破砕することができる。
【００３５】
生ごみの乾燥時には悪臭が含まれた蒸気が発生する。ところが、悪臭が含まれた蒸気が外部に排出されれば、ユーザに不快感を与えて、環境を汚染させることがある。
【００３６】
本実施形態に係るドラムトラップ及びこれを使用した生ごみ処理処置は、生ごみの乾燥時に発生する悪臭が含まれた蒸気を凝縮させて下水管側に排出し、凝縮されず残存する悪臭が含まれた蒸気は乾燥ドラム１４１に再流入させることができるように構成できる。
【００３７】
より詳しくは、乾燥ドラム１４１の上面の一側及び他側には第１案内管１５１及び第２案内管１５５の一端部側が各々連通設置されることができ、第１案内管１５１及び第２案内管１５５の他端部側は各々後述するドラムトラップ（Drum Trap）１６０の内部の一側及び他側と各々連通設置できる。
【００３８】
乾燥ドラム１４１で生ごみが乾燥される時に発生する悪臭が含まれた蒸気は、第１案内管１５１を通じてドラムトラップ１６０の内部に流入し、凝縮されずドラムトラップ１６０の内部に残存する悪臭が含まれた蒸気は第２案内管１５５を通じて乾燥ドラム１４１に再流入できる。
【００３９】
乾燥ドラム１４１の蒸気が速かに第１案内管１５１に流入できるように、乾燥ドラム１４１と隣接した第１案内管１５１の一側内部には乾燥ドラム１４１の内部の蒸気を強制的に第１案内管１５１に吸入するためのファン１５３が設置できる。
【００４０】
ドラムトラップ１６０の内部一側は上記下水管側と連通することができ、ドラムトラップ１６０の内部に流入して凝縮された水は上記下水管側に排出できる。
【００４１】
ドラムトラップ１６０について、図２から図６を参照して説明する。図４は図３に図示されたドラムトラップ部位の分解斜視図であり、図５は図４に図示されたドラムトラップ部位を他の方向から見た底面斜視図であり、図６は図４の“Ａ−Ａ”線断面図である。
【００４２】
図示したように、ドラムトラップ１６０は内部に空間が形成されたケース形状に形成されることができ、合成樹脂材で形成されたハウジング１７０と、ハウジング１７０の上面に結合され、熱伝導性に優れるアルミニウムなどの金属材で形成された冷却板１８０を含むことができる。
【００４３】
ハウジング１７０は上面が開放されることができ、一側面には水が排出される排出部１７２が形成できる。ハウジング１７０の内部には水が格納されるが、排出部１７２の下側のハウジング１７０の内部のみに水が格納できる。即ち、ハウジング１７０に水が流入した時、排出部１７２の下側に位置した水はハウジング１７０に格納され、排出部１７２の上側に位置する水は排出部１７２を通じて上記下水管側に排出できる。
【００４４】
排出部１７２は、図６に示すように、貫通孔１７２ａ、エルボ管１７２ｂ、及び排出管１７２ｃを含むことができる。
【００４５】
貫通孔１７２ａは、ハウジング１７０の一側面に形成されてハウジング１７０の内外側を連通させることができる。エルボ管１７２ｂは、貫通孔１７２ａと連通されてハウジング１７０の内側に突出し、下側部位は貫通孔１７２ａより下側に位置してハウジング１７０に格納された水に浸ることができる。そして、排出管１７２ｃはエルボ管１７２ｂと連通されてハウジング１７０の外側に突出し、下水管（図４及び図５の“Ｐ”方向）側と連通できる。
【００４６】
エルボ管１７２ｂの下側部位が水に浸ることによって、ドラムトラップ１６０のハウジング１７０に流入した蒸気の上記下水管側への排出が防止される。したがって、高温の蒸気により排出管１７２ｃ、排出管１７２ｃと上記下水管側とを連結する連結管（図示せず）が損傷されることを防止することができる。
【００４７】
冷却板１８０は、第１冷却板１８１、第２冷却板１８３、及び流入管１８５を含むことができ、ハウジング１７０に流入した蒸気を凝縮させることができる。
【００４８】
第１冷却板１８１は、ハウジング１７０の上面と対応する形状に形成されて、ハウジング１７０の開放された上端面に下面が接触結合できる。そして、第１冷却板１８１の一側部位には乾燥ドラム１４１と連通された第１案内管１５１の他側部位が連通される流入孔１８１ａが形成されることができ、他側部位には乾燥ドラム１４１と連通された第２案内管１５５の他側部位が連通される排出孔１８１ｂが形成できる。
【００４９】
したがって、乾燥ドラム１４１の悪臭が含まれた蒸気は第１案内管１５１と流入孔１８１ａを通じてドラムトラップ１６０の内部に流入し、凝縮されず残存する悪臭が含まれた蒸気は排出孔１８１ｂと第２案内管１５５を通じて乾燥ドラム１４１に再流入できる。したがって、生ごみの乾燥時に発生する悪臭が含まれた蒸気は外部に排出されず、乾燥ドラム１４１とドラムトラップ１６０を循環することができる。
【００５０】
流入孔１８１ａ及び排出孔１８１ｂには連結管１９１、１９３の下側部位が各々連通設置されることができ、連結管１９１、１９３の上側部位に第１案内管１５１及び第２案内管１５５の他側部位が各々連通結合できる。
【００５１】
第２冷却板１８３は、第１冷却板１８１の枠部側の下面から下側に延長形成され、下側部位は排出部１７２の貫通孔１７２ａより下側に位置してハウジング１７０に格納された水に浸ることができる。第２冷却板１８３の下側部位が水に浸るので、第２冷却板１８３と第１冷却板１８１は、水の温度と類似な低温状態を維持することができる。すると、ドラムトラップ１６０に流入した蒸気は低温状態の冷却板１８０と熱交換するので、速かに凝縮できる。
【００５２】
第２冷却板１８３は、ハウジング１７０の内面と接触してハウジング１７０の内面に挿入結合できる。合成樹脂材のハウジング１７０の内面に金属材の第２冷却板１８３が挿入接触されて結合されるので、ハウジング１７０の剛性が補強できる。
【００５３】
流入管１８５は、第１冷却板１８１の中央部側部位から下側に延長形成されることができ、流入管１８５を通じてハウジング１７０の内部に水を供給することができる。この際、流入管１８５の下側部位も排出部１７２の貫通孔１７２ａより下側に位置してハウジング１７０に格納された水に浸ることができる。すると、流入管１８５により第１冷却板１８１がより速かに冷却できるので、ハウジング１７０に流入した蒸気がより速かに凝縮できる。
【００５４】
流入管１８５を通じてハウジング１７０に流入する水は、上記脱水ユニットの上記排水孔から排出された水及び上記流し台の洗い桶の側面に形成されたオーバーフロー防止用排出孔（図示せず）から排出された水でありうる。
【００５５】
上記脱水ユニットの上記排水孔から排出された水及び上記オーバーフロー防止用排出孔から排出された水がハウジング１７０に流入できるように、流入管１８５の上端部側には 連結管１９５の下側部位が連通設置できる。連結管１９５の上側部位には第１分岐管１９５ａ及び第２分岐管１９５ｂが形成されることができ、第１分岐管１９５ａ及び第２分岐管１９５ｂは上記脱水ユニットの上記排水孔（図４及び図５の“Ｑ”方向）側及び上記オーバーフロー防止用排出孔（図４及び図５の“Ｒ”方向）側と各々連通できる。
【００５６】
上記下水管側の水がドラムトラップ１６０の内部に逆流するか、または上記下水管側が詰まった時、ドラムトラップ１６０の水が乾燥ユニット１４０側に流入できる。これを防止するために、本実施形態に係るドラムトラップ及びこれを使用した生ごみ処理装置にはドラムトラップ１６０の水の乾燥ユニット１４０側への流入を防止するバルブ１８７が設置できる。
【００５７】
バルブ１８７について、図７及び図８を参照して説明する。図７は図４の“Ｂ−Ｂ”線結合断面図であり、図８は図７に図示されたバルブの正面図である。
【００５８】
図示したように、流入孔１８１ａ側の第１冷却板１８１の下面及び排出孔１８１ｂ側の第１冷却板１８１の下面には支持片１８８が各々結合され、各支持片１８８の端部側にはバルブ１８７の上端部側の外周面が各々連結支持できる。そして、バルブ１８７は支持片１８８に支持された部位を基準に回転可能に設置できる。
【００５９】
したがって、バルブ１８７はハウジング１７０に流入した水の水位によって回転及び昇降しながら流入孔１８１ａ及び排出孔１８１ｂを各々開閉することができる。ハウジング１７０の水位によって、バルブ１８７が容易に回転及び昇降できるようにバルブ１８７は中空体に形成できる。そして、バルブ１８７が流入孔１８１ａ及び排出孔１８１ｂを堅く閉鎖できるように、バルブ１８７の上面側部位は流入孔１８１ａ及び排出孔１８１ｂの外側を覆いかぶせる形態に設置されて第１冷却板１８１の下面に密着することができ、流入孔１８１ａ及び排出孔１８１ｂの内部に挿入できる。ハウジング１７０の水位が上昇すれば、バルブ１８７の上側部位は第１冷却板１８１に一層密着するか、または流入孔１８１ａ及び排出孔１８１ｂの内部に一層挿入されるので、流入孔１８１ａ及び排出孔１８１ｂはさらに密閉できる。
【００６０】
すると、上記下水管側の水がハウジング１７０に逆流するなどにより、ハウジング１７０の水位が上昇しても、バルブ１８７が昇降及び回転しながら流入孔１８１ａ及び排出孔１８１ｂを閉鎖するので、ハウジング１７０の水の乾燥ユニット１４０側への流入が防止できる。
【００６１】
流入孔１８１ａを通じてハウジング１７０に流入した蒸気がハウジング１７０の内部に留まる時間が長ければ、冷却板１８０と蒸気の熱交換時間が長くなるので、蒸気がより多く凝縮できる。
【００６２】
本実施形態に係るドラムトラップ及びこれを使用した生ごみ処理処置は、流入孔１８１ａ側のハウジング１７０の空間と排出孔１８１ｂ側のハウジング１７０の空間とを区切りして、流入孔１８１ａを通じて流入した蒸気がハウジング１７０を巡回した後、排出孔１８１ｂを通じて排出されるようにすることで、ハウジング１７０に流入した蒸気がハウジング１７０の内部に長時間留まるように構成することができる。
【００６３】
流入孔１８１ａに流入した蒸気がハウジング１７０を巡回した後、排出孔１８１ｂに排出される構成に対し、図７及び図９を参照して説明する。図９は図４の“Ｃ−Ｃ”線結合断面図である。
【００６４】
図示したように、第１冷却板１８１の下面には下側に延長された区切り板１８２が形成できる。この際、区切り板１８２は第２冷却板１８３の一側部位と流入管１８５の一側部位との間に位置し、第１冷却板１８１と第２冷却板１８３及び流入管１８５と一体に形成できる。そして、区切り板１８２は排出部１７２が形成されたハウジング１７０の一側面と排出部１７２と対向するハウジング１７０の他側面との間に位置することができ、区切り板１８２の下側部位は排出部１７２より下側に位置してハウジング１７０に格納された水に浸ることができる。
【００６５】
すると、ハウジング１７０に格納された水の上側のハウジング１７０の空間のうち、区切り板１８２が位置したハウジング１７０の空間は区切り板１８２と流入管１８５により区切りできる。この際、流入孔１８１ａは区切り板１８２と排出部１７２と対向するハウジング１７０の他側面との間に位置した第１冷却板１８１の部位に形成され、排出孔１８１ｂは区切り板１８２と排出部１７２が形成されたハウジング１７０の一側面との間に位置した第１冷却板１８１の部位に形成できる。
【００６６】
これによって、流入孔１８１ａを通じてハウジング１７０に流入した蒸気は、図９に矢印で図示したように、区切り板１８２が形成されていない流入管１８５側に移動した後、排出孔１８１ｂを通じて排出される。したがって、流入孔１８１ａを通じてハウジング１７０に流入した蒸気がハウジング１７０を巡回した後、排出孔１８１ｂに排出できる。
【００６７】
区切り板１８２の下側部位が水に浸るので、第１冷却板１８１はより速かに冷却できる。これによって、ドラムトラップ１６０に流入した蒸気は速かに凝縮できる。
【００６８】
本実施形態に係るハウジング１７０と冷却板１８０を含むドラムトラップ１６０は、生ごみ処理処置だけでなく、悪臭が含まれた蒸気を発生する他の装置にも設置して使用できることは当然である。
【００６９】
そして、本実施形態に係る生ごみ処理処置は、生ごみが粉砕及び脱水されていない状態で乾燥ユニット１４０に直接投入されて乾燥できる。この時には、乾燥ユニット１４０の上記攪拌スクリューにより生ごみが粉砕できる。
【００７０】
本実施形態に係るドラムトラップ及びこれを使用した生ごみ処理処置は、乾燥ユニット１４０で生ごみが乾燥される時に発生する悪臭が含まれた蒸気がドラムトラップ１６０に流入した後、凝縮されて上記下水管側に排出される。そして、凝縮されず残存する悪臭が含まれた蒸気は、乾燥ユニット１４０に再流入される。即ち、生ごみの乾燥時に発生する悪臭が含まれた蒸気が外部に漏洩されないので、蒸気に含まれた悪臭を除去するための別途のフィルタを必要としない。したがって、コストが低減できる。
【００７１】
また、生ごみの乾燥時に発生した蒸気は、ドラムトラップ１６０の内部で凝縮されるので、ドラムトラップ１６０の外側に蒸気を凝縮させるための冷却管を設置する必要がない。したがって、ドラムトラップ１６０を生ごみ処理処置に容易に設置することができ、ドラムトラップ１６０を生ごみ処理処置から容易に分離することができる。したがって、メインテナンスが便利である。
【００７２】
また、ドラムトラップ１６０の下側部位はハウジング１７０に格納された水に浸るので、冷却板１８０は常に低温状態を維持する。したがって、ハウジング１７０に流入した蒸気の大部分は冷却板１８０により凝縮されて排出できる。
【００７３】
また、ドラムトラップ１６０のハウジング１７０の内部は流入孔１８１ａ側と排出孔１８１ｂ側が区切りされ、流入孔１８１ａを通じてハウジング１７０に流入した蒸気はハウジング１７０を巡回した後、排出孔１８１ｂに排出されるので蒸気の凝縮効率が向上できる。
【００７４】
また、ドラムトラップ１６０の排出部１７２のエルボ管１７２ｂの下側部位がハウジング１７０に格納された水に浸っているので、ハウジング１７０に流入した高温の蒸気が上記下水管側に排出できない。したがって、排出部１７２の排出管１７２ｃ及び排出管１７２ｃと上記下水管側とを連結する上記連結管が蒸気により損傷されることを防止することができる。
【００７５】
また、ドラムトラップ１６０の排出部１７２のエルボ管１７２ｂの下側部位がハウジング１７０に格納された水に浸っているので、上記下水管側で発生する悪臭のドラムトラップ１６０への流入を防止することができる。
【００７６】
また、ドラムトラップ１６０の排出孔１８１ｂを通じて乾燥ユニット１４０に再流入する蒸気は相対的に水分を少なく含有した乾燥した蒸気であるので、乾燥ユニット１４０に投入された生ごみの水分を速かに吸収することができる。したがって、乾燥効率が向上できる。
【００７７】
図１の未説明符号１２７は、上記流し台の上側に露出した連結ホルダー１２１を開閉する栓であり、栓１２７は生ごみ処理処置をオン／オフさせるスイッチの機能もすることができる。そして、図１の未説明符号１３０は、乾燥ユニット１４０の上記排出口を通じて排出される生ごみを格納する生ごみ箱である。
【符号の説明】
【００７８】
１１０    ケーシング
１４０    乾燥ユニット
１６０    ドラムトラップ
１７０    ハウジング
１８０    冷却板。
【図１】
0005918839.tif 000002
【図２】
0005918839.tif 000003
【図３】
0005918839.tif 000004
【図４】
0005918839.tif 000005
【図５】
0005918839.tif 000006
【図６】
0005918839.tif 000007
【図７】
0005918839.tif 000008
【図８】
0005918839.tif 000009
【図９】
0005918839.tif 000010